(57)【特許請求の範囲】
【請求項１】
光記録媒体に複数の光ビームを照射して、情報の記録再生を行うマルチビーム記録再生装置において、
複数の光ビームを照射するマルチビーム発生手段と、
上記各光ビームによる記録媒体の反射光から情報を再生する再生手段と、
再生リトライ時に、上記複数の光ビームのうち再生リトライする第１の光ビーム以外の第２の光ビームの光量を減じる光量低減手段とを具備し、
再生リトライ時に、再生リトライする第１の光ビーム以外の第２の光ビームの光量を減じて、再生リトライする第１の光ビームのみによって情報を再生することを特徴とするマルチビーム記録再生装置。
【発明の詳細な説明】
【０００１】
【産業上の利用分野】
本発明は、光記録媒体に複数の光ビームを照射して、情報の記録再生を行うマルチビーム記録再生装置に関する。
【０００２】
【従来の技術】
従来特開昭５９−１８５０４４に開示された光メモリ装置がある。この装置では、トラッキング制御を行う制御用ビームと、情報の記録再生を行う記録再生用ビームを備え、複数の光ビームによって情報を再生し、情報の記録再生速度を向上させていた。
【０００３】
【発明が解決しようとする課題】
ところが、上記従来例には複数の光ビームによって情報を再生する時、お互いに他の光ビームによって再生信号のクロストークが増加し、再生情報のエラーが発生するという問題点があった。
【０００４】
本発明の図２に示すように、第１の光スポット１１と第２の光スポット１２及び１３とにより記録マークを再生すると、第１の光スポット１１と第２の光スポット１２及び１３の再生に有効な直径によって、互いの隣り合うトラックの記録マークを再生するいわゆるクロストークが発生する。よって、複数の光ビームによって情報を再生すると、お互いに他の光ビームによって再生信号のクロストークが増加する。
【０００５】
そこで本発明は、光記録媒体に複数の光ビームを照射して、情報の記録再生を行うマルチビーム記録再生装置において、再生リトライ時に、再生リトライする光ビームのみによって情報を再生することで、他の光ビームによる再生クロストークによる再生情報のエラーが無い再生を行うものである。
【０００６】
【課題を解決するための手段】
上記課題を解決するために、光記録媒体に複数の光ビームを照射して、情報の記録再生を行うマルチビーム記録再生装置において、複数の光ビームを照射するマルチビーム発生手段と、上記各光ビームによる記録媒体の反射光から情報を再生する再生手段と、再生リトライ時に、上記複数の光ビームのうち再生リトライする第１の光ビーム以外の第２の光ビームの光量を減じる光量低減手段とを具備し、再生リトライ時に、再生リトライする第１の光ビーム以外の第２の光ビームの光量を減じて、再生リトライする第１の光ビームのみによって情報を再生することを特徴とする。
【０００７】
【作用】
本発明によれば、再生リトライ時の再生エラーを低減してデータ（情報）を再生したい時に、再生リトライする第１の光ビームのみによって再生を行うことができるので、他の光ビームによる再生クロストークを低減でき、他の光ビームによる再生クロストークによる再生情報のエラーの無い再生を行うことが可能となる。
【０００８】
【実施例】
〈実施例１〉
本発明の第１の実施例について、図１〜図２を用いて説明する。図１は、本発明のマルチビーム記録再生装置の要部を示す図である。まず、通常の再生時について説明する。マルチビーム発生手段１から第１の光ビーム（主ビーム）１７と、第２の光ビーム（副ビーム）１８及び１９を出射させる。マルチビーム発生手段１は、例えば第１の光ビーム（主ビーム）１７を出射させる第１の光源４と、第２の光ビーム（副ビーム）１８及び１９を出射させる第２の光源５及び６をもっている。ここで、第１の光源４と第２の光源５及び６は、例えば半導体レーザアレイ等で構成することができる。
【０００９】
尚、本実施例ではこのように１つの第１の光源４と２つの第２の光源５と６をもつ合計３つの光源を持つ例を示す。上記第１の光ビーム（主ビーム）１７と、第２の光ビーム（副ビーム）１８及び１９をビームスプリッタ７へ導く。さてビームスプリッタ７を通過した第１の光ビーム１７と第２の光ビーム１８及び１９を、対物レンズ８によって、記録媒体９上のトラック１０に集光させる。記録媒体９からの反射光をビームスプリッタ７によって直角に曲げ、再生手段３によってデータを再生する。
【００１０】
次に、再生リトライ時やテストライト時等の再生エラーを低減してデータを再生したい時について説明する。光量低減手段２によって、第２の光源５及び６の出射光量を減じる。すると、第１の光ビーム１７に比べて第２の光ビーム１８及び１９の強度が小さくなり、クロストークを低減できる。尚、第２の光源５及び６の光量は、クロストークが低減できる程度に減じればよいが、ゼロとしても構わない。
【００１１】
さて図２を用いて、まず通常再生時の記録媒体９上の記録マークと光スポットを説明する。第１の光ビーム１７を記録媒体１０上に照射した第１の光スポット１１を矢印ａの方向へ移動させ、記録マーク１４を再生する。同様に第２の光ビーム１８及び１９を記録媒体９上に照射した第２の光スポット１２及び１３は、記録マーク１５と１６とをそれぞれ再生する。ここで図に示すように、第１の光スポット１１と第２の光スポット１２及び１３の再生に有効な直径によって、互いの隣り合うトラックの記録マークを再生するいわゆるクロストークが発生する。これは再生エラーの原因となる。
【００１２】
次に、再生リトライ時やテストライト時等の再生エラーを低減してデータを再生したい時について説明する。図１のエラー低減手段２によって、破線で示す第２の光スポット１２と１３の光量のみを減じる。すると第１の光スポット１１のみによって再生を行うことができるので、第２の光スポット１２及び１３によって発生する再生クロストークを除去でき、他の光ビームによる再生クロストークによる再生情報のエラーの無い再生を行うことが可能となる。
【００１３】
尚、第２の光スポット１２と１３の配置をトラック方向に沿って第１の光スポット１１の前後にずらしても配置しても構わない。また、上記第１の光ビーム１７と第２の光ビーム１８及び１９を、第１の光源４と第２の光源５及び６から独立に出射させる例を示したが、これに限定する必要は無い。たとえば、第１の光源と複数のハーフミラー等で構成した光ビーム分割手段によって上記第１の光ビーム１７と第２の光ビーム１８及び１９を発生させ、光シャッターなどによって、第２の光ビーム１８及び１９のみを減じても構わない。
【００１４】
【発明の効果】
以上のように、本発明のマルチビーム記録再生装置によれば、再生リトライ時の再生エラーを低減してデータ（情報）を再生したい時に、第１の光ビームのみによって再生を行うことができるので、他の光ビームによる再生クロストークを低減でき、他の光ビームによる再生クロストークによる再生情報のエラーの無い再生を行うことが可能となる。
【図面の簡単な説明】
【図１】本発明の第１の実施例によるマルチビーム記録再生装置の要部を示す図である。
【図２】図１における記録マークと光スポットを示す図である。
【符号の説明】
１  マルチビーム発生手段
２  光量低減手段
３  再生手段
４  第１の光源
５  第２の光源
６  第２の光源
７  ビームスプリッタ
８  対物レンズ
９  記録媒体
【図１】
0003545021.tif 000002
【図２】
0003545021.tif 000003